(57)【要約】  【課題】ネックレス紐状装飾体を構造簡単で操作性の良い結合具でネックレスとして、または、眼鏡保持具として使用できる。  【解決手段】ネックレス紐状装飾体１の両端部にそれぞれ眼鏡のつる部を挿脱可能に挿通保持する眼鏡保持部材６を設ける。両眼鏡保持部材６は結合具13にて互いに係脱自在に連結する。眼鏡保持部材６は伸縮性を有する弾性紐７にて眼鏡のつる部を挿脱可能に挿通保持する環状の挿通部12を形成する。結合具13は円弧状に湾曲した弾性杆14の両端部に抜け止め球状部15をそれぞれ設ける。  【選択図】図１
0003108472.tif 000002
【実用新案登録請求の範囲】
【請求項１】
ネックレス紐状装飾体と、この紐状装飾体の両端部にそれぞれ設けられ眼鏡のつる部を挿脱可能に挿通保持する眼鏡保持部材と、この両眼鏡保持部材を互いに係脱自在に連結する結合具とを備え、
前記眼鏡保持部材は、伸縮性を有する弾性紐にて形成し眼鏡のつる部を挿脱可能に挿通保持する環状の挿通部を有し、
前記結合具は、円弧状に湾曲した弾性杆の両端部に抜け止め球状部をそれぞれ設けた
ことを特徴とするネックレスを兼ねた眼鏡保持具。
【考案の詳細な説明】
【技術分野】
【０００１】
本考案は、眼鏡を紛失し、或いは、眼鏡を不用意に落すことがないように眼鏡を保持できるとともに、ネックレスとして使用できるネックレスを兼ねることのできる眼鏡保持具に関する。
【背景技術】
【０００２】
従来のネックレスを兼ねた眼鏡保持具としては、チェーンといわれるネックレス紐状装飾体の両端に、環の一部の開口部を閉止している閉止片をスプリングの付勢力に抗して開放方向に移動させて開口部を開放することができるとともにスプリングの付勢力で開口部の閉止状態を保持する引き輪をそれぞれ取り付け、この引き輪を互いに開口部から挿入して結合し、ネックレス紐状装飾体を環状とし、この状態でネックレスとして使用し、また、眼鏡保持具として使用するときには、ネックレス紐状装飾体の両端に設けた引き輪に、それぞれ眼鏡保持部材を挿入支持し、この両眼鏡保持部材に眼鏡のつるを挿通して眼鏡を保持できるようにした構造が採られている（例えば、特許文献１参照）。
【特許文献１】実願昭５５―３１６７７号（実開昭５６−１３４０１６号公報）のマイクロフィルム（明細書第４頁、第１図及び第２図）
【考案の開示】
【考案が解決しようとする課題】
【０００３】
解決しようとする問題点は、上記従来のネックレスを兼ねた眼鏡保持具は、ネックレスとして使用するときは、チェーンといわれるネックレス紐状装飾体の両端の引き輪から鏡保持部材を取り外し、この引き輪を互いに係合して結合し、ネックレス紐状装飾体を環状にしてネックレスとし、また、眼鏡保持具として使用するときは、ネックレス紐状装飾体の両端の引き輪を互いに分離し、この両引き輪にそれぞれ鏡保持部材を取り付けなくてはならず、小さい引き輪の操作が煩雑で操作性が悪く、また、ネックレスとしての使用時には、二つの鏡保持部材をネックレス紐状装飾体と別に保管しなくてはならず、不便である問題があった。
【０００４】
本考案は上記問題点に鑑みなされたもので、ネネックレスを兼ねた眼鏡保持具を提供するものである。
【課題を解決するための手段】
【０００５】
本考案のネックレスを兼ねた眼鏡保持具は、ネックレス紐状装飾体と、この紐状装飾体の両端部にそれぞれ設けられ眼鏡のつる部を挿脱可能に挿通保持する眼鏡保持部材と、この両眼鏡保持部材を互いに係脱自在に連結する結合具とを備えている。そして、前記眼鏡保持部材は、伸縮性を有する弾性紐にて形成し眼鏡のつる部を挿脱可能に挿通保持する環状の挿通部を有し、前記結合具は、円弧状に湾曲した弾性杆の両端部に抜け止め球状部をそれぞれ設けたものである。
【０００６】
そして、ネックレスを兼ねた眼鏡保持具は、結合具の両端部の抜け止め球状部をネックレス紐状装飾体の両端部の眼鏡保持部材からそれぞれ挿入すると、ネックレス紐状装飾体は環状となり、ネックレス紐状装飾体はネックレスとして使用でき、結合具の両端部の抜け止め球状部が伸縮性を有する弾性紐にて形成した眼鏡保持部材から抜け止め保持され、環状に保持されてネックレスが首部から外れることがない。
【０００７】
また、ネックレス紐状装飾体の両端部の眼鏡保持部材から、その弾性力を利用して結合具の抜け止め球状部をそれぞれ抜き外し、両眼鏡保持部材に眼鏡の両つる部を挿通すると、眼鏡はネックレス紐状装飾体の両端に保持され、ネックレス紐状装飾体を首部にかけることにより、眼鏡はネックレス紐状装飾体にて保持される。
【考案の効果】
【０００８】
本考案のネックレスを兼ねた眼鏡保持具は、結合具の着脱によってネックレスとして、または眼鏡保持具として使用でき、また、結合具は円弧状に湾曲した弾性杆の両端部に抜け止め球状部をそれぞれ設けた簡単な構造で、ネックレス紐状装飾体の両端部に設けた眼鏡保持部材の弾性を利用して簡単に挿脱でき、結合具が眼鏡保持部材に係合された状態では、眼鏡保持部材の弾性で抜け外れることがない。
【０００９】
また、ネックレス紐状装飾体の両端部に設けた眼鏡保持部材に眼鏡のつる部を挿通した状態では、眼鏡保持部材の弾性で眼鏡のつる部を確実に保持でき、眼鏡が外れ落ちることがない。
【考案を実施するための最良の形態】
【００１０】
本考案のネックレスを兼ねた眼鏡保持具の一実施の形態を図面に基づいて説明する。
【００１１】
ネックレス紐状装飾体１は、図１及び図２に示すように、合成樹脂、金属、宝石材などにて成形した装飾部材２，３，４を適宜の順に紐条を挿通して構成され、このネックレス紐状装飾体１の両端部にはそれぞれフック状の連結部材５が係脱自在に取り付けられている。
【００１２】
また、ネックレス紐状装飾体１の両端部にそれぞれ設けられた眼鏡保持部材６は、図３に示すように合成ゴムなどの伸縮性を有する環状の弾性紐７の中央部を金属、合成樹脂などの締め付け環８にて締め付けて、ネックレス紐状装飾体１の連結部材５に連結する連結環部９と眼鏡10のつる部11を挿脱可能に挿通保持する環状の挿通部12が形成されている。
【００１３】
さらに、前記両眼鏡保持部材６を互いに係脱自在に連結する結合具13は、図３に示すように、金属または合成樹脂などにて形成した弾性杆14とこの弾性杆14の両端部にそれぞれ一体に結合した抜け止め球状部15とにて構成され、この弾性杆14は円弧状に湾曲され、この両抜け止め球状部15間に小間隙16が形成されている。この弾性杆14と両抜け止め球状部15とは金属または合成樹脂などにて一体に形成されている。
【００１４】
次に、この実施例の作用を説明する。
【００１５】
ネックレスとして使用するときには、結合具13の両端部の抜け止め球状部15を、ネックレス紐状装飾体１の両端部に設けた眼鏡保持部材６の挿通部12から挿入すると、ネックレス紐状装飾体１は環状となり、ネックレス紐状装飾体１は、図１に示すように、ネックレスとして使用できる。そして、結合具13の両端部の抜け止め球状部15が伸縮性を有する弾性紐７の弾性収縮力により眼鏡保持部材６の挿通部12から抜け止め保持され、環状に保持されてネックレスが首部から外れることがない。
【００１６】
また、ネックレス紐状装飾体１の両端部の眼鏡保持部材６の挿通部12から、その弾性力を利用して結合具13の抜け止め球状部15を抜き外し、両眼鏡保持部材６に眼鏡10の両つる部11を挿通すると、図２に示すように、眼鏡10はネックレス紐状装飾体１の両端に保持され、ネックレス紐状装飾体１を首部にかけることにより、眼鏡10はネックレス紐状装飾体１にて保持される。
【図面の簡単な説明】
【００１７】
【図１】本考案の一実施の形態を示すネックレスを兼ねた眼鏡保持具をネックレスとした正面図である。
【図２】同上眼鏡保持具とした正面図である。
【図３】同上ネックレスとした場合の眼鏡保持部材と結合具との結合部分を示す拡大正面図である。
【符号の説明】
【００１８】
１    ネックレス紐状装飾体
６    眼鏡保持部材
７    弾性紐
10    眼鏡
11    つる部
12    挿通部
13    結合具
14    弾性杆
15    抜け止め球状部
【図１】
0003108472.tif 000003
【図２】
0003108472.tif 000004
【図３】
0003108472.tif 000005